(57)【要約】【課題】手動両面印刷を行う際，片面印刷済みのシートへの他面の印刷を確実に行うことが期待できる印刷装置を提供すること。【解決手段】プリンタ１００は，シートの片面に先印刷ページ分を連続印刷した後，その片面印刷済みシートをユーザがセットしたことを条件として，その片面印刷済みシートの他面に後印刷ページ分を連続印刷することで両面印刷を実現する，いわゆる手動両面印刷を実行する。そして，プリンタ１００は，手動両面印刷を実行した際，先印刷ページの印刷完了後に，空の給紙ユニット（すなわちシートが収容されていない給紙ユニット）に片面印刷済みシートをセットする指示を通知する。そして，その通知対象の給紙ユニットを，後印刷ページの印刷を開始するにあたっての実行給紙ユニットに設定する。【選択図】            図８
2013176903.tif 000002
【特許請求の範囲】
【請求項１】
シートを収容する複数の給紙ユニットと，
複数ページを有する印刷データの奇数ページと偶数ページとの一方である先印刷ページを，前記給紙ユニットから給紙されたシートの第１面に順次印刷して排紙し，前記第１面が印刷済みのシートである片面印刷済みシートがセットされたことを条件に，前記印刷データの奇数ページと偶数ページとの他方である後印刷ページを，前記片面印刷済みシートの第２面に順次印刷して排紙する印刷部と，
前記先印刷ページの印刷が完了した後であって前記後印刷ページの印刷を開始する前に，空の給紙ユニットに前記片面印刷済みシートをセットする指示をユーザに通知する通知部と，
前記後印刷ページの印刷の際，給紙を実行する給紙ユニットである実行給紙ユニットを，前記通知部にて指示対象となった給紙ユニットに設定する設定部と，
を備えることを特徴とする印刷装置。
【請求項２】
請求項１に記載する印刷装置において，
前記実行給紙ユニットにてシート無しが検知された場合，当該実行給紙ユニットをシートが収容されている他の給紙ユニットに切り替える切替部を備え，
前記通知部は，前記先印刷ページの印刷処理中に前記切替部による給紙ユニットの切り替えがあった場合，前記切替部の切り替え元の給紙ユニットを空の給紙ユニットとすることを特徴とする印刷装置。
【請求項３】
請求項１または請求項２に記載する印刷装置において，
前記先印刷ページに対応するシートの枚数をＭとし（Ｍは１以上の自然数），
前記設定部により設定された最初の実行給紙ユニットの最大収容量をＮとし（Ｎは１以上の自然数），
前記枚数Ｍが前記最大収容量Ｎよりも大きい場合，前記片面印刷済みシートのセットを，前記通知部にて指示対象となった空の給紙ユニットを含む空の給紙ユニットに複数回に分けて行う指示をユーザに通知する第２通知部と，
前記後印刷ページの印刷の際，前記第２通知部にて指示対象となった給紙ユニットから前記実行給紙ユニットを設定する第２設定部と，
を備えることを特徴とする印刷装置。
【請求項４】
請求項３に記載する印刷装置において，
前記第２通知部は，空の給紙ユニットが複数ある場合に，そのうち１つの給紙ユニットを選択し，当該給紙ユニットに片面印刷済みシートの少なくとも一部をセットする指示をユーザに通知し，さらに前記後印刷ページの印刷の際，当該給紙ユニットにてシート無しが検知された場合に，当該給紙ユニットに，残りの片面印刷済みシートの少なくとも一部をセットする指示をユーザに通知し，
前記第２設定部は，前記第２通知部で選択された給紙ユニットを実行給紙ユニットに設定し，前記後印刷ページの印刷が完了するまで実行給紙ユニットを変更しないことを特徴とする印刷装置。
【請求項５】
請求項１から請求項３のいずれか１つに記載する印刷装置において，
前記通知部は，空の給紙ユニットが複数ある場合に，そのうちシートが給紙されてから排紙されるまでの搬送経路長が最も短い給紙ユニットを選択し，当該給紙ユニットに少なくとも先頭の片面印刷済みシートをセットするよう通知し，
前記設定部は，前記通知部により選択された給紙ユニットを前記後印刷ページの最初の実行給紙ユニットに設定することを特徴とする印刷装置。
【請求項６】
請求項１から請求項３のいずれか１つに記載する印刷装置において，
前記通知部は，空の給紙ユニットが複数ある場合に，予め設定された給紙ユニットの優先順位に従ってそれら空の給紙ユニットに片面印刷済みシートをセットする指示をユーザに通知し，
前記設定部は，前記優先順位が最も高い空の給紙ユニットを前記後印刷ページの最初の実行給紙ユニットに設定し，実行給紙ユニットが空になった場合は前記優先順位に従って次の実行給紙ユニットを設定することを特徴とする印刷装置。
【請求項７】
請求項１から請求項６のいずれか１つに記載する印刷装置において，
前記実行給紙ユニットにてシート無しが検知された場合，シート無しを通知するシート無し通知部と，
前記印刷部による前記先印刷ページの印刷が完了する前に実行給紙ユニットにてシート無しが検知され，前記実行給紙ユニットの切り替え先がある場合に，前記シート無し通知部での通知を禁止する禁止部と，
を備えることを特徴とする印刷装置。
【請求項８】
請求項１から請求項７のいずれか１つに記載する印刷装置において，
前記通知部は，前記先印刷ページの印刷が完了した後であって前記後印刷ページの印刷を開始する前に，空の給紙ユニットが無い場合には，前記片面印刷済みシートを給紙した給紙ユニットに前記片面印刷済みシートを全てセットする指示をユーザに通知することを特徴とする印刷装置。
【発明の詳細な説明】
【技術分野】
【０００１】
本発明は，片面印刷済みのシートをユーザが入れ替えることで両面印刷を実現する手動両面印刷機能を有する印刷装置に関する。
【背景技術】
【０００２】
従来から，印刷装置では，シートの片面を印刷した後，その片面印刷済みのシート（以下，「片面印刷済みシート」とする）を所定の給紙ユニットにユーザが再度セットすることで両面印刷を実現する制御方法（いわゆる手動両面印刷）が提案されている。具体的に手動両面印刷では，シートの片面を連続して印刷した後，ユーザがその片面印刷済みシートのシート束を裏返し，予め定められた給紙ユニットにそのシート束をセットし，片面印刷済みシートの他面を連続して印刷することで，複数ページからなる印刷データの両面印刷を実現する。
【０００３】
上述の手動両面印刷を開示した文献としては，例えば特許文献１がある。特許文献１では，片面印刷済みのシートを予め定められた給紙ユニットに間違えずにセットしてもらうため，当該給紙ユニットから給紙を行うよう指示する印刷装置が開示されている。
【先行技術文献】
【特許文献】
【０００４】
【特許文献１】特開２００６−５６２３８号公報
【発明の概要】
【発明が解決しようとする課題】
【０００５】
しかしながら，前記した従来の技術では，片面印刷済みシートを予め定められた給紙ユニットにセットする前に当該給紙ユニットに別のシートが残っており，その既存のシートを取り除かずに片面印刷済みシートをセットして他面の印刷を開始した場合に問題になる。例えば，大量枚数の手動両面印刷において，既存のシート上に片面印刷済みシートのシート束の一部をセットした場合，セットされた片面印刷済みシートの他面への印刷に続いて，既存のシートに対して本来残りの片面印刷済みシートに印刷すべき他面の印刷を行ってしまう。
【０００６】
本発明は，前記した従来の印刷装置が有する問題点を解決するためになされたものである。すなわちその課題とするところは，手動両面印刷を行う際，片面印刷済みのシートへの他面の印刷を確実に行うことが期待できる印刷装置を提供することにある。
【課題を解決するための手段】
【０００７】
この課題の解決を目的としてなされた印刷装置は，シートを収容する複数の給紙ユニットと，複数ページを有する印刷データの奇数ページと偶数ページとの一方である先印刷ページを，前記給紙ユニットから給紙されたシートの第１面に順次印刷して排紙し，前記第１面が印刷済みのシートである片面印刷済みシートがセットされたことを条件に，前記印刷データの奇数ページと偶数ページとの他方である後印刷ページを，前記片面印刷済みシートの第２面に順次印刷して排紙する印刷部と，前記先印刷ページの印刷が完了した後であって前記後印刷ページの印刷を開始する前に，空の給紙ユニットに前記片面印刷済みシートをセットする指示をユーザに通知する通知部と，前記後印刷ページの印刷の際，給紙を実行する給紙ユニットである実行給紙ユニットを，前記通知部にて指示対象となった給紙ユニットに設定する設定部とを備えることを特徴としている。
【０００８】
本明細書で開示される印刷装置は，シートの片面に先印刷ページ分を連続印刷した後，その片面印刷済みシートが所定の給紙ユニットにセットされたことを条件として，その片面印刷済みシートの他面に後印刷ページ分を連続印刷することで両面印刷を実現する，いわゆる手動両面印刷を実行する機能を有する。そして，本明細書で開示される印刷装置は，上述の手動両面印刷を実行した際，先印刷ページの印刷完了後に，空の給紙ユニット（すなわちシートが収容されていない給紙ユニット）に片面印刷済みシートをセットする指示を通知する。そして，その通知対象の給紙ユニットを，後印刷ページの印刷を開始するにあたっての実行給紙ユニットに設定する。
【０００９】
すなわち，本明細書で開示される印刷装置では，後印刷ページの印刷において，空の給紙ユニットへの片面印刷済みシートのセットを促し，その給紙ユニットを実行給紙ユニットとする。当該実行給紙ユニットには，片面印刷済みシートのみが収容されることが期待できることから，片面印刷済みシート以外のシートに後印刷ページを印刷してしまう可能性は低い。
【００１０】
また，本明細書で開示される印刷装置は，前記実行給紙ユニットにてシート無しが検知された場合，当該実行給紙ユニットをシートが収容されている他の給紙ユニットに切り替える切替部を備え，前記通知部は，前記先印刷ページの印刷処理中に前記切替部による給紙ユニットの切り替えがあった場合，前記切替部の切り替え元の給紙ユニットを空の給紙ユニットとするとよい。先印刷ページの印刷中にシート無しによって実行給紙ユニットが切り替えられた場合，切り替え元となった給紙ユニット（すなわち前回の実行給紙ユニット）は，後印刷ページの印刷用にシートをセットする時点で空である可能性が高い。そのため，通知部の指示対象となる給紙ユニットとして好適である。
【００１１】
また，本明細書で開示される印刷装置は，前記先印刷ページに対応するシートの枚数をＭとし（Ｍは１以上の自然数），前記設定部により設定された最初の実行給紙ユニットの最大収容量をＮとし（Ｎは１以上の自然数），前記枚数Ｍが前記最大収容量Ｎよりも大きい場合，前記片面印刷済みシートのセットを，前記通知部にて指示対象となった空の給紙ユニットを含む空の給紙ユニットに複数回に分けて行う指示をユーザに通知する第２通知部と，前記後印刷ページの印刷の際，前記第２通知部にて指示対象となった給紙ユニットから前記実行給紙ユニットを設定する第２設定部とを備えるとよい。Ｍ＞Ｎの場合，１つの給紙ユニットに全ての片面印刷済みシートをセットすることはできない。そこで，空の給紙ユニットに複数回に分けてセットすることを通知し，複数回に分けて給紙することで，片面印刷済みシートへの他面の印刷を確実に行うことが期待できる。
【００１２】
また，前記第２通知部は，空の給紙ユニットが複数ある場合に，そのうち１つの給紙ユニットを選択し，当該給紙ユニットに片面印刷済みシートの少なくとも一部をセットする指示をユーザに通知し，さらに前記後印刷ページの印刷の際，当該給紙ユニットにてシート無しが検知された場合に，当該給紙ユニットに，残りの片面印刷済みシートの少なくとも一部をセットする指示をユーザに通知し，前記第２設定部は，前記第２通知部で選択された給紙ユニットを実行給紙ユニットに設定し，前記後印刷ページの印刷が完了するまで実行給紙ユニットを変更しないとよい。１つの給紙ユニットによって後印刷ページの印刷を完了させることで，シートの入れ間違い等の人為ミスの抑制が期待できる。
【００１３】
また，前記通知部は，空の給紙ユニットが複数ある場合に，そのうちシートが給紙されてから排紙されるまでの搬送経路長が最も短い給紙ユニットを選択し，当該給紙ユニットに少なくとも先頭の片面印刷済みシートをセットするよう通知し，前記設定部は，前記通知部により選択された給紙ユニットを前記後印刷ページの最初の実行給紙ユニットに設定するとよい。この構成により，早期の印刷完了が期待できる。
【００１４】
また，前記通知部は，空の給紙ユニットが複数ある場合に，予め設定された給紙ユニットの優先順位に従ってそれら空の給紙ユニットに片面印刷済みシートをセットする指示をユーザに通知し，前記設定部は，前記優先順位が最も高い空の給紙ユニットを前記後印刷ページの最初の実行給紙ユニットに設定し，実行給紙ユニットが空になった場合は前記優先順位に従って次の実行給紙ユニットを設定してもよい。優先順位に従って複数の給紙ユニットに纏めて片面印刷済みシートをセットすることで，シートのセットを待つ回数が少ない。そのため，早期の印刷完了が期待できる。
【００１５】
また，本明細書で開示される印刷装置は，前記実行給紙ユニットにてシート無しが検知された場合，シート無しを通知するシート無し通知部と，前記印刷部による前記先印刷ページの印刷が完了する前に実行給紙ユニットにてシート無しが検知され，前記実行給紙ユニットの切り替え先がある場合に，前記シート無し通知部での通知を禁止する禁止部とを備えるとよい。シート無しを通知すると，ユーザによるシート補充が行われる可能性が高まる。手動両面印刷では，シートが補充されてしまうと空の給紙ユニットを通知できる可能性が低下してしまう。そのため，実行給紙ユニットの切り替え先があって印刷を継続できる場合には，少なくとも先印刷ページの印刷が完了するまではシート無しが見つかったとしてもその旨を通知しない方が好ましい。
【００１６】
また，前記通知部は，前記先印刷ページの印刷が完了した後であって前記後印刷ページの印刷を開始する前に，空の給紙ユニットが無い場合には，前記片面印刷済みシートを給紙した給紙ユニットに前記片面印刷済みシートを全てセットする指示をユーザに通知するとよい。先印刷ページの印刷が完了した後で空の給紙ユニットが無い場合，先印刷ページの印刷中に実行給紙ユニットの変更がなく，先印刷ページの印刷開始前に収容されていたシート枚数の範囲内で先印刷ページの印刷が完了した可能性が高い。そのため，先印刷ページの印刷と同じ給紙ユニットを使用すれば，片面印刷済みシートを全て収容することができ，さらに当該給紙ユニットに片面印刷済みシートを全て収容することで，始めから収容されていた片面印刷済みシート以外のシートへの印刷も回避できる。
【発明の効果】
【００１７】
本発明によれば，手動両面印刷を行う際，片面印刷済みのシートへの他面の印刷を確実に行うことが期待できる印刷装置が実現される。
【図面の簡単な説明】
【００１８】
【図１】実施の形態にかかるプリンタの概略構成を示す斜視図である。
【図２】図１に示したプリンタの内部構成を示す概念図である。
【図３】図１に示したプリンタの電気的構成を示すブロック図である。
【図４】手動両面印刷を行った際の，実行給紙トレイの推移を示す図（ケース１）である。
【図５】手動両面印刷を行った際の，実行給紙トレイの推移を示す図（ケース２）である。
【図６】手動両面印刷を行った際の，実行給紙トレイの推移を示す図（ケース３）である。
【図７】手動両面印刷を行った際の，実行給紙トレイの推移を示す図（ケース４）である。
【図８】実施の形態にかかる手動両面印刷処理の手順を示すフローチャートである。
【図９】実施の形態にかかる先印刷ジョブ印刷処理の手順を示すフローチャートである。
【図１０】実施の形態にかかる給紙トレイ設定処理の手順を示すフローチャートである。
【発明を実施するための形態】
【００１９】
以下，本発明にかかる印刷装置を具体化した実施の形態について，添付図面を参照しつつ詳細に説明する。本形態は，手動両面印刷が可能なプリンタに本発明を適用したものである。
【００２０】
［プリンタの全体構成］
実施の形態のプリンタ１００（印刷装置の一例）は，図１に示すように，シートに画像を形成する本体部１０と，本体部１０の上面に位置し，液晶ディスプレイからなる表示部４１と，スタートキー，ストップキー，テンキー等から構成されるボタン群４２とを備えた操作パネル４０が設けられ，この操作パネル４０により動作状況の表示やユーザによる入力操作が可能になっている。
【００２１】
また，本体部１０は，底部に位置し，装置本体に対して着脱可能であり，印刷前のシートを収容する給紙トレイ９１，９２，９３（給紙ユニットの一例）と，上面に位置し，印刷後のシートを載置する排紙トレイ９６とを有している。なお，給紙トレイ９１は，本体部１０が標準装備している給紙トレイであり，給紙トレイ９２および９３は，オプションで増設される給紙トレイである。給紙トレイの数は，３つに限定するものではない。
【００２２】
［プリンタの内部構成］
図２は，プリンタ１００の内部構成を示している。プリンタ１００は，図２に示すように，周知の電子写真方式によってトナー像を形成し，そのトナー像をシートに転写するプロセス部５０（印刷部の一例）を備えている。なお，プロセス部５０は，画像をシートに印刷することができればよく，インクジェット方式等の他の方式であってもよい。更には，カラープリンタであってもモノクロプリンタであってもよい。
【００２３】
また，プリンタ１００内には，給紙トレイ９１からシートを１枚ずつピックする給紙ローラ７１と，給紙トレイ９２からシートを１枚ずつピックする給紙ローラ７２と，給紙トレイ９３からシートを１枚ずつピックする給紙ローラ７３と，シートをプロセス部５０に搬送するレジストローラ７４と，シートを排紙トレイ９６に排出する排紙ローラ７６とが設けられている。この他，用紙経路には，幾つもの搬送ローラが設けられている。それらの各種ローラは図示しない駆動モータによって駆動される。
【００２４】
また，プリンタ１００内には，ユーザによって指定された，あるいはプリンタ１００が選択した給紙トレイに収容されたシートを，その給紙トレイに対応する給紙ローラ，レジストローラ７４を経由して，プロセス部５０に案内し，さらにプロセス部５０から，排紙ローラ７６を介して排紙トレイ９６へ案内する略Ｓ字形状の用紙搬送路１１（図２中の一点鎖線）が設けられている。
【００２５】
本形態のプリンタ１００は，給紙トレイ９１，９２，９３に載置されているシートを１枚ずつ用紙搬送路１１に取り込み，そのシートをプロセス部５０に搬送し，プロセス部５０にて形成されたトナー像をそのシートに転写する。さらに，トナー像が転写されたシートをプロセス部５０内の定着装置に搬送し，トナー像をそのシートに熱定着させる。そして，定着後のシートを，排紙ローラ７６に案内し，排紙ローラ７６によって排紙トレイ９６に排出する。
【００２６】
［プリンタの電気的構成］
続いて，プリンタ１００の電気的構成について説明する。プリンタ１００は，図３に示すように，ＣＰＵ３１と，ＲＯＭ３２と，ＲＡＭ３３と，ＮＶＲＡＭ（不揮発性ＲＡＭ）３４とを備えた制御部３０を備えている。また，制御部３０は，プロセス部５０，操作パネル４０，ネットワークインターフェース３６等と電気的に接続されている。
【００２７】
ＲＯＭ３２には，プリンタ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。
【００２８】
ＣＰＵ３１は，ＲＯＭ３２から読み出した制御プログラムや各種センサから送られる信号に従って，その処理結果をＲＡＭ３３またはＮＶＲＡＭ３４に記憶させながら，プリンタ１００の各構成要素を制御する。
【００２９】
ネットワークインターフェース３６は，ＬＡＮ等のネットワークに接続され，プリンタ１００用のプリンタドライバが組み込まれたＰＣ２００との接続を可能にしている。プリンタ１００は，ネットワークインターフェース３６を介してＰＣ２００から印刷ジョブを受け取る。なお，プリンタ１００は，ネットワークインターフェース３６の代わりにＵＳＢなどのシリアルインターフェースを備え，ＰＣ２００と直接接続される構成であってもよい。
【００３０】
［手動両面印刷の動作概要］
続いて，ＰＣ２００からプリンタ１００に手動両面印刷の印刷ジョブを投入し，プリンタ１００にて手動両面印刷を実行する際の動作概要について，給紙を実行する給紙トレイである実行給紙トレイに着目して説明する。なお，以下の説明では，各給紙トレイのシートの最大積載枚数を５００枚として説明する。また，投入される印刷ジョブでは，給紙装置の設定として自動選択が設定されているものとして説明する。
【００３１】
図４は，２００ページの印刷ジョブ，つまりシートを１００枚使用する印刷ジョブを受け付けた場合であって，受け付けた時点では給紙トレイ９１，９２，９３全てにシートが収容（特に給紙トレイ９１には１００枚以上のシートが収容）され，実行給紙トレイとして給紙トレイ９１が選択された場合（「ケース１」とする）の，シートの使用状況を示している。なお，図４中の各給紙トレイのハッチング部分は，印刷後に残留するシートを意味している。後述する図５〜図７についても同様である。
【００３２】
ケース１では，給紙トレイ９１に収容されているシートを使用して片面１００ページ分の印刷が行われる（Ａ）。すなわち，シート１００枚分の印刷が行われる。給紙トレイ９１には，あらかじめ１００枚以上のシートが収容されていることから，給紙トレイ９１に収容されているシートによって片面の印刷を全て完了することができ，実行給紙トレイは変更されない。
【００３３】
片面の印刷後は，片面の印刷で使用した給紙トレイ９１に，片面印刷済みシートを全てセットすることを通知する。実行給紙トレイを切り替えることなく片面の印刷が完了した場合には，同じ給紙トレイに片面印刷済みシートを全てセットしたとしても，最大積載枚数を超えない。一方，他の給紙トレイについては，既存のシートの枚数が不確定なため，片面印刷済みシートを全てセットできるかは不明である。そこで，片面印刷済みシートの全てを確実にセットできる給紙トレイ９１に，片面印刷済みシートのシート束をセットさせる。通知後は，ユーザによる印刷の続行指示の入力を待つ。
【００３４】
印刷の続行指示の入力後，他面への印刷を開始する。給紙トレイ９１には片面印刷済みシート１００枚が全てセットされるため，他面の印刷中に実行給紙トレイの変更なく，１００ページ分の他面の印刷が完了する（Ｂ）。これにより，片面印刷済みシート以外のシートに印刷することなく，２００ページ分１００枚の印刷物が得られる。
【００３５】
図５は，ケース１と同じく２００ページの印刷ジョブ，つまりシートを１００枚使用する印刷ジョブを受け付けた場合であって，受け付けた時点では給紙トレイ９１，９２，９３全てにシートが収容され，特に給紙トレイ９１には１０枚（つまり印刷に必要なシート枚数より少ない枚数）のシートが収容され，実行給紙トレイとして給紙トレイ９１が選択された場合（「ケース２」とする）の，シートの使用状況を示している。
【００３６】
ケース２では，先ず，給紙トレイ９１に収容されているシートを使用して片面１０ページ分の印刷が行われる。この時点で給紙トレイ９１内のシートが無くなることから，実行給紙トレイが例えば給紙トレイ９２に切り替えられる。その後，給紙トレイ９２に収容されているシートを使用して残りの片面９０ページ分の印刷が行われる（Ａ）。
【００３７】
片面の印刷後は，先に実行給紙トレイであった給紙トレイ９１に，片面印刷済みシートを全てセットすることを通知する。すなわち，片面の印刷中に実行給紙トレイが給紙トレイ９１から給紙トレイ９２に切り替えられた場合には，切り替え元となった給紙トレイ９１は空である可能性が高い。また，他面の印刷で使用するシート枚数は１００枚であり，最大積載枚数以下である。そこで，片面印刷済みシートの全てを確実にセットできる給紙トレイ９１に，片面印刷済みシートのシート束をセットさせる。通知後は，ユーザによる印刷の続行指示の入力を待ってもよいし，シートのセットを検知して自動的に印刷を開始してもよい。
【００３８】
印刷の続行指示の入力（あるいはシートのセット）を受け付けた後，他面への印刷を開始する。給紙トレイ９１には片面印刷済みシートが全てセットされているため，他面の印刷中に実行給紙トレイの変更なく，１００ページ分の他面の印刷が完了する（Ｂ）。これにより，片面印刷済みシート以外のシートに印刷することなく，２００ページ分１００枚の印刷物が得られる。
【００３９】
図６は，１２００ページの印刷ジョブ，つまり最大積載枚数を超えるシート６００枚を使用する印刷ジョブを受け付けた場合であって，受け付けた時点では給紙トレイ９１，９２，９３全てにシートが収容され，特に給紙トレイ９１，９２には５００枚のシートが収容され，実行給紙トレイとして給紙トレイ９１が選択された場合（「ケース３」とする）の，実行給紙トレイの推移を示している。
【００４０】
ケース３では，先ず，給紙トレイ９１に収容されている全てのシートに印刷が行われる。片面の印刷の完了には最大積載枚数より多い枚数のシートが必要なため，給紙トレイ９１に収容されているシートのみでは片面の印刷が完了しない。そこで，実行給紙トレイが例えば給紙トレイ９２に切り替えられる。その後，給紙トレイ９２に収容されているシートを使用して残りのページ分の片面の印刷が行われる（Ａ）。
【００４１】
片面の印刷後は，先に実行給紙トレイであった給紙トレイ９１のみが空の給紙トレイとなることから，給紙トレイ９１に片面印刷済みシートをセットすることを通知する。すなわち，確実に空の状態である給紙トレイ９１に，片面印刷済みシートをセットさせる。なお，片面印刷済みシートの枚数が最大積載枚数を超えているため，一度に全ての片面印刷済みシートを１つの給紙トレイにセットすることはできない。そこで，片面印刷済みシートのシート束を複数に分割し，さらに分割されたシート束（以下，「分割シート束」とする）のうち先頭の分割シート束を給紙トレイ９１にセットすることも併せて通知する。なお，図６は片面印刷済みシートのシート束を２分割した例であり，先頭の分割シート束を前半とし，他方の分割シート束を後半と記載している。通知後は，ユーザによる印刷の続行指示の入力を待ってもよいし，シートのセットを検知して自動的に印刷を開始してもよい。
【００４２】
印刷の続行指示の入力（あるいはシートのセット）を受け付けた後，他面への印刷を開始する。そして，セットされた分割シート束（図６中の前半のシート束）への印刷を行う（Ｂ−１）。その後，残りの分割シート束（図６中の後半のシート束）を再度同じ給紙トレイ９１にセットするようなシートの入替指示を通知する（Ｂ−２）。すなわち，再度，空の状態になった給紙トレイ９１に，残りの分割シート束をセットさせる。通知後は，ユーザによる印刷の続行指示の入力を待ってもよいし，シートのセットを検知して自動的に印刷を開始してもよい。
【００４３】
印刷の続行指示の入力（あるいはシートのセット）を受け付けた後，再び給紙トレイ９１から給紙し，他面への印刷を開始する。そして，セットされた分割シート束への印刷を行う（Ｂ−３）。この（Ｂ−１）から（Ｂ−３）までの動作を，他面の印刷中に実行給紙トレイの変更なく，各分割シート束の全てに印刷が完了するまで繰り返す。これにより，片面印刷済みシート以外のシートに印刷することなく，１２００ページ分６００枚の印刷物が得られる。
【００４４】
図７は，ケース３と同じく１２００ページの印刷ジョブ，つまり最大積載枚数を超えるシート６００枚を使用する印刷ジョブを受け付けた場合であって，受け付けた時点では給紙トレイ９１，９２にシートが収容され，給紙トレイ９３は空であり，給紙トレイ９１に
は５００枚のシートが収容され，実行給紙トレイとして給紙トレイ９１が選択された場合（「ケース４」とする）の，実行給紙トレイの推移を示している。
【００４５】
ケース４では，先ず，給紙トレイ９１に収容されている全てのシートに印刷が行われる。その後，実行給紙トレイが給紙トレイ９２に切り替えられ，給紙トレイ９２に収容されているシートを使用して残りのページ分の印刷が行われる（Ａ）。
【００４６】
片面の印刷後，先に実行給紙トレイであった給紙トレイ９１と，元々空であった給紙トレイ９３との，２つの空の給紙トレイが存在する。そこで，片面印刷済みシートのシート束を分割してセットすることを通知する（Ｂ−１）。すなわち，片面印刷済みシートのシート束の枚数が最大積載枚数を超えているため，空の給紙トレイにシート束を分割してページ順にセットすることを通知する。さらに，他面の印刷で使用する空の給紙トレイの順序，すなわち使用トレイ指示も併せて通知し，この順序に従って分割シート束をセットするよう通知する。なお，図７は片面印刷済みシートのシート束を２分割した例であり，先頭の分割シート束を前半とし，他方の分割シート束を後半と記載している。さらに，給紙トレイの優先順位を，給紙トレイ９１，９３の順としている。そのため，給紙トレイ９１に前半の分割シート束をセットし，給紙トレイ９３に後半の分割シート束をセットすることになる。通知後は，ユーザによる印刷の続行指示の入力を待ってもよいし，シートのセットを検知して自動的に印刷を開始してもよい。
【００４７】
印刷の続行指示の入力（あるいはシートのセット）を受け付けた後，優先順位が最も高い給紙トレイ９１を実行給紙トレイとして他面への印刷を開始する。そして，実行給紙トレイが空になった際には優先順位に従って給紙トレイ９３を実行給紙トレイとして切り替え，セットされた各分割シート束の全てに印刷を行う（Ｂ−２）。これにより，片面印刷済みシート以外のシートに印刷することなく，１２００ページ分６００枚の印刷物が得られる。
【００４８】
［手動両面印刷のプリンタの制御］
以下，前述した手動両面印刷動作を実現するプリンタ１００の手動両面印刷処理（印刷部，通知部，設定部，切替部，第２通知部，第２設定部，シート無し通知部，禁止部の一例）について，図８のフローチャートを参照しつつ説明する。
【００４９】
なお，手動両面印刷のジョブを投入するＰＣ２００では，複数ページを有する印刷データから，奇数ページ用の印刷ジョブと偶数ページ用の印刷ジョブとを作成する。そして，偶数ページ用の印刷ジョブを先にプリンタ１００に送信し，偶数ページの印刷データを全て送信した後に，奇数ページ用の印刷ジョブの送信を開始する。印刷データは，全ページの印刷データの印刷が完了するまでＰＣ２００に保持される。
【００５０】
プリンタ１００による手動両面印刷処理は，プリンタ１００が先に印刷される偶数ページ用の印刷ジョブ（以下，「先印刷ジョブ」とする）を受け付けたことを契機に，ＣＰＵ３１によって実行される。
【００５１】
手動両面印刷処理では，先ず，先印刷ジョブを受信する（Ｓ１０１）。そして，ジョブの付加情報に記憶されているヘッダ情報から印刷ページ数を取得し，その印刷ページ数を印刷シート枚数ＭとしてＲＡＭ３３あるいはＮＶＲＡＭ３４に記憶する（Ｓ１０２）。
【００５２】
次に，実行給紙トレイを設定する（Ｓ１０３）。Ｓ１０３では，先印刷ジョブのヘッダ情報に給紙装置の指定がある場合，あるいはプリンタ１００に給紙装置の指定がある場合には，その指定された給紙トレイを実行給紙トレイに設定する。先印刷ジョブやプリンタ１００に特定の給紙トレイの指定が無い場合には，シートが収容されている給紙トレイのうち何れか１つを，プリンタ１００が自動的に実行給紙トレイに設定する。
【００５３】
実行給紙トレイの設定後は，その実行給紙トレイを使用して片面の印刷を行う先印刷ジョブ印刷処理を実行する（Ｓ１０４）。図９は，Ｓ１０４の先印刷ジョブ印刷処理の詳細手順を示している。
【００５４】
先印刷ジョブ印刷処理では，先ず，受信した先印刷ジョブの印刷を開始する（Ｓ１４１）。すなわち，実行給紙トレイから１枚ずつシートをピックし，当該シートの片面に印刷を行う。
【００５５】
次に，先印刷ジョブの印刷中，エラーが発生しているか否かを判断する（Ｓ１４２）。エラーが発生している場合には（Ｓ１４２：ＹＥＳ），そのエラーが実行給紙トレイの用紙無しエラーか否かを判断する（Ｓ１５１）。用紙無しの判断は，用紙の有無を検知するセンサによって直接的に判断してもよいし，給紙動作を複数回連続して失敗した場合に用紙無しと見做す等，間接的に判断してもよい。用紙無しエラーではない場合には（Ｓ１５１：ＮＯ），エラーによる印刷中断が発生したことを通知し（Ｓ１６１），そのエラーが解消されるのを待つ。用紙無しエラーではないエラーとしては，例えば用紙ジャムやトナーエンプティがある。エラーが解消された後は，印刷を再開してＳ１４２に戻る。
【００５６】
用紙無しエラーである場合（Ｓ１５１：ＹＥＳ），実行給紙トレイを他の給紙トレイに切り替え可能か否かを判断する（Ｓ１５２）。例えば，実行給紙トレイが指定されている場合には，切り替え不可となる。また，シートが収容されている他の給紙トレイがない場合にも，切り替え不可となる。また，シートが収容されている給紙トレイであっても，そのシートの用紙サイズが異なることがわかっている場合，その給紙トレイへの切り替えは不可となる。実行給紙トレイの切り替えができない場合（Ｓ１５２：ＮＯ），印刷を中断し，さらに実行給紙トレイにシートが無く，実行給紙トレイにシートを補充する旨のメッセージを通知し（Ｓ１６２，シート無し通知部の一例），実行給紙トレイにシートが補充されるのを待つ。シートが補充された後は，印刷を再開してＳ１４２に戻る。
【００５７】
実行給紙トレイの切り替えが可能な場合には（Ｓ１５２：ＹＥＳ），実行給紙トレイを他の給紙トレイに切り替える（Ｓ１５３，切替部，禁止部の一例）。なお，実行給紙トレイを切り替えた場合には，その履歴がプリンタ１００に記憶される。その後は，印刷を再開してＳ１４２に戻る。
【００５８】
一方，Ｓ１４２にてエラーが発生していない場合には（Ｓ１４２：ＮＯ），先印刷ジョブの印刷が完了したか否かを判断する（Ｓ１４３）。先印刷ジョブの印刷が完了していない場合には（Ｓ１４３：ＮＯ），Ｓ１４２に戻り，先印刷ジョブの印刷を継続する。先印刷ジョブの印刷が完了した場合には（Ｓ１４３：ＹＥＳ），先印刷ジョブ印刷処理を終了する。
【００５９】
図８の説明に戻り，Ｓ１０４の先印刷ジョブ印刷処理の後は，次のジョブを受信する（Ｓ１０５）。そして，受信したジョブが，先印刷ジョブに対応する奇数ページ用の印刷ジョブ（以下，「後印刷ジョブ」とする）であるか否かを判断する（Ｓ１０６）。受信したジョブが後印刷ジョブでなければ（Ｓ１０６：ＮＯ），受信したジョブを破棄し（Ｓ１２１），Ｓ１０５に戻って次のジョブを受信する。これにより，手動両面印刷中の割り込みジョブによる片面印刷済みのシートへの不適切な印刷を回避する。
【００６０】
受信したジョブが後印刷ジョブであれば（Ｓ１０６：ＹＥＳ），実行給紙トレイを他の給紙トレイに切り替え可能か否かを判断する（Ｓ１０７）。例えば，実行給紙トレイが指定されている場合には，切り替え不可となる。また，各給紙トレイに収容されているシートの用紙サイズをプリンタ１００が把握しており，後印刷ジョブの用紙サイズに対応する給紙トレイが無い場合には，給紙トレイへの切り替えは不可となる。実行給紙トレイを他の給紙トレイに切り替えできない場合（Ｓ１０７：ＮＯ），現状の実行給紙トレイにシートをセットし，さらに印刷開始指示を入力する旨のメッセージを通知する（Ｓ１３１）。印刷開始指示としては，例えば操作パネル４０のスタートキーの押下が該当する。印刷開始指示が入力された後は，後印刷ジョブの印刷を開始する（Ｓ１１０）。
【００６１】
実行給紙トレイを他の給紙トレイに切り替え可能な場合（Ｓ１０７：ＹＥＳ），空の給紙トレイがあるか否かを判断する（Ｓ１０８）。用紙無しの判断は，用紙の有無を検知するセンサによる直接的な判断の他，センサが無い場合であっても，例えば，先印刷ジョブの印刷中に実行給紙トレイが切り替えられると，切り替え元となった給紙トレイは空であると推測できる。実行給紙トレイの切り替えは，フラグ等に一時的に記憶すればよい。Ｓ１０８の判断では，少なくとも先印刷ジョブの印刷中に実行給紙トレイの切り替えがあった場合には，空の給紙トレイがあると判断される。
【００６２】
空の給紙トレイがない場合には（Ｓ１０８：ＮＯ），先印刷ジョブの印刷で使用した実行給紙トレイに片面印刷済みシートのシート束をセットし，さらに印刷開始指示を入力することをユーザに通知する（Ｓ１３１）。通知方法としては，例えば，表示部４１へのメッセージ表示や，音声ガイダンスが該当する。
【００６３】
すなわち，空の給紙トレイが存在しないと判断された場合は，１つの給紙トレイからの給紙によって先印刷ジョブの印刷が完了していることから，片面印刷済みシートを全て実行給紙トレイにセットしたとしてもその実行給紙トレイの最大積載量を超えない。片面印刷済みシートを１つの給紙トレイに全てセットできれば，片面印刷済みシート以外のシートへの印刷を回避できる。そこで，空の給紙トレイがない場合には，先印刷ジョブの印刷で使用した実行給紙トレイへの片面印刷済みシートのセットを通知する。
【００６４】
一方，空の給紙トレイがある場合には（Ｓ１０８：ＹＥＳ），後印刷ジョブについての実行給紙トレイを設定し，ユーザに実行給紙トレイへのシートのセットを通知する給紙トレイ設定処理を実行する（Ｓ１０９）。図１０は，Ｓ１０９の給紙トレイ設定処理の詳細手順を示している。
【００６５】
給紙トレイ設定処理では，先ず，空の給紙トレイが複数あるか否かを判断する（Ｓ１７１）。空の給紙トレイが１つしかない場合には（Ｓ１７１：ＮＯ），その空の給紙トレイを実行給紙トレイとして設定する（Ｓ１９１，設定部，第２設定部の一例）。空の給紙トレイが１つしかない状況としては，先印刷ジョブの印刷中に実行給紙トレイの切り替えが１回あった場合（例えば前述したケース２やケース３が該当）が該当する。また，先印刷ジョブの印刷中に実行給紙トレイの切り替えが無かった場合であっても，先印刷ジョブの開始時点で実行給紙トレイ以外の給紙トレイで空の給紙トレイが１つあった場合が考えられる。
【００６６】
次に，ＲＡＭ３３またはＮＶＲＡＭ３４に記憶されている印刷枚数ＭがＳ１９１で設定された実行給紙トレイの最大積載枚数Ｎ以下か否かを判断する（Ｓ１９２）。印刷枚数Ｍが最大積載枚数Ｎより多い場合（Ｓ１９２：ＮＯ），一度に全ての片面印刷済みシートを実行給紙トレイにセットできない。そのため，片面印刷済みシートのシート束を分割し，分割されたシート束である分割シート束の１つを実行給紙トレイにセットし，その分割シート束の印刷が完了した後は，その分割シート束に続くページに対応する分割シート束を同じ実行給紙トレイにセットして印刷を継続することで後印刷ジョブを完了させる。つまり，前述したケース３に該当する。そこで，片面印刷済みシートのシート束を１つの分割シート束が最大積載枚数Ｎよりシート枚数が少なくなるように分割すること，および複数の分割シート束のうち先頭の分割シート束をＳ１９１で設定された実行給紙トレイにセットすることを，ユーザに通知する（Ｓ１９４）。
【００６７】
また，後印刷ジョブの印刷における実行給紙トレイを，Ｓ１９１で設定された実行給紙トレイに固定する（Ｓ１９５）。すなわち，後印刷ジョブの処理中，分割シート束の印刷が完了した際の，実行給紙トレイの自動切り替えを不可にする。Ｓ１９５の後は，給紙トレイ設定処理を終了する。
【００６８】
一方，印刷枚数Ｍが最大積載枚数Ｎ以下の場合（Ｓ１９２：ＹＥＳ），一度に全ての片面印刷済みシートを実行給紙トレイにセットできるため，片面印刷済みシートのシート束をＳ１９１で設定された実行給紙トレイにセットすることを，ユーザに通知する（Ｓ１９３，通知部の一例）。例えば，前述したケース２が該当する。Ｓ１９３の後は，給紙トレイ設定処理を終了する。
【００６９】
Ｓ１７１の説明に戻り，空の給紙トレイが複数ある場合には（Ｓ１７１：ＹＥＳ），最大積載枚数Ｎが印刷枚数Ｍ以上となる空の給紙トレイがあるか否かを判断する（Ｓ１７２）。最大積載枚数Ｎが印刷枚数Ｍ以上となる空の給紙トレイがある場合には（Ｓ１７２：ＹＥＳ），Ｓ１７２の条件を満たす空の給紙トレイの中から１つ選択し，選択された給紙トレイを実行給紙トレイに設定する（Ｓ１８１，設定部の一例）。選択方法としては，プリンタ１００が無作為に選択してもよいし，所定の規則に従って選択してもよい。勿論，ユーザに選択させてもよい。
【００７０】
なお，プリンタ１００が選択する際の所定の規則としては，例えば給紙から排紙までの搬送距離が最短の給紙トレイを選択することが該当する。搬送距離が短いほど印刷の早期完了が期待できる。また，例えばあらかじめ給紙トレイの優先順位を設定しておき，その優先順位が最も高い給紙トレイを選択することとしてもよい。この他，給紙トレイごとに使用回数が記憶されている場合には，その使用回数が最も多い給紙トレイを選択することとしてもよい。
【００７１】
Ｓ１８１の後は，一度に全ての片面印刷済みシートを実行給紙トレイにセットできることから，片面印刷済みシートのシート束をＳ１８１で設定された実行給紙トレイにセットすることを，ユーザに通知する（Ｓ１８２，通知部の一例）。Ｓ１８２の後は，給紙トレイ設定処理を終了する。
【００７２】
一方，最大積載枚数Ｎが印刷枚数Ｍ以上となる空の給紙トレイがない場合には（Ｓ１７２：ＮＯ），一度に全ての片面印刷済みシートを収容できる空の給紙トレイがないため，片面印刷済みシートのシート束を分割し，分割シート束を複数の空の給紙トレイにセットし，後印刷ジョブの印刷を行う。つまり，前述したケース４に該当する。そこで，先ず，使用する複数の給紙トレイおよび実行給紙トレイの切替順序を設定する（Ｓ１７３，第２設定部の一例）。使用する給紙トレイの数は，分割シート束の数と同じとなる。使用する空の給紙トレイおよび切替順序の選択方法は，Ｓ１８１と同様に，プリンタ１００が無作為に選択してもよいし，所定の規則に従って選択してもよい。勿論，ユーザに選択させてもよい。
【００７３】
Ｓ１７３の後は，片面印刷済みシートのシート束を，Ｓ１７３で設定した給紙トレイの数に分割するように，さらに１つの分割シート束が各給紙トレイの最大積載枚数Ｎよりシート枚数が少なくなるように分割すること，および複数の分割シート束を，Ｓ１７３で設定された切替順位に従って給紙トレイにセットすることを，ユーザに通知する（Ｓ１７４，第２通知部の一例）。Ｓ１７４の後は，給紙トレイ設定処理を終了する。
【００７４】
このようにＳ１０９の給紙トレイ設定処理では，空の給紙トレイのみを実行給紙トレイに指定し，その空の給紙トレイにのみ片面印刷済みシートをセットさせることから，後印刷ジョブの印刷において片面印刷済みシート以外のシートへの印刷を回避できる。そのため，片面印刷済みのシートへの他面の印刷を確実に行うことが期待できる。
【００７５】
なお，最大積載枚数Ｎが印刷枚数Ｍ以上となる空の給紙トレイがない場合には（Ｓ１７２：ＮＯ），Ｓ１９１，１９２，１９４，１９５と同様に，実行給紙トレイを１つに固定し，その実行給紙トレイに分割シート束を順次セットさせてもよい。１つの給紙ユニットを繰り返し使用することで，シートの入れ間違い等の人為ミスの抑制が期待できる。ただし，この場合，分割シート束をセットさせるタイミングが１つの分割シート束の印刷が完了する度となり，ユーザの手間が増える。Ｓ１７４のように複数の空の給紙トレイに纏めて分割シート束をセットさせることで，分割シート束をセットさせるタイミングが後印刷ジョブの印刷開始前の１回となり，ユーザの手間を軽減できる。
【００７６】
図８の説明に戻り，Ｓ１０９の給紙トレイ設定処理の後，あるいはＳ１３１の後は，後印刷ジョブの印刷を開始する（Ｓ１１０）。すなわち，実行給紙トレイから１枚ずつ片面印刷済みシートをピックし，当該片面印刷済みシートの他面に印刷を行う。Ｓ１１０の後は，手動両面印刷処理を終了する。
【００７７】
なお，Ｓ１１０の後印刷ジョブの印刷では，Ｓ１０４の先印刷ジョブ印刷処理と同様の処理を実行すればよい。そして，例えば，Ｓ１９４で分割シート束のセットを通知した場合には，後印刷ジョブの印刷中に用紙無しエラーが発生することから，Ｓ１５１で用紙無しエラーを検知し（Ｓ１５１：ＹＥＳ），さらに実行給紙トレイの変更が不可であることから（Ｓ１５２：ＮＯ），用紙補充を通知することになる（Ｓ１６２）。このとき，他の分割シート束をセットすることを通知すればよい。
【００７８】
また，例えば，Ｓ１７４で分割シート束のセットを通知した場合には，同様に，後印刷ジョブの印刷中に用紙無しエラーが発生することから，Ｓ１５１で用紙無しエラーを検知するが（Ｓ１５１：ＹＥＳ），実行給紙トレイへの変更をＳ１７３で設定した切替順序に従って変更することから（Ｓ１５２：ＹＥＳ），その切替順序に従って実行給紙トレイを切り替えることになる（Ｓ１５３）。
【００７９】
以上詳細に説明したようにプリンタ１００は，後印刷ジョブの印刷において，空の給紙トレイがある場合には，空の給紙トレイに片面印刷済みシートをセットし，その給紙トレイを実行給紙トレイとする。当該実行給紙トレイは，片面印刷済みシートをセットする前は空であったことから，片面印刷済みシートのみが収容されることになり，片面印刷済みシート以外のシートに後印刷ページを印刷してしまう可能性を低減することができる。また，空の給紙トレイを使用することから，既存のシートを取り除く作業が不要であり，ユーザにとっての使い勝手が良い。
【００８０】
なお，本実施の形態は単なる例示にすぎず，本発明を何ら限定するものではない。したがって本発明は当然に，その要旨を逸脱しない範囲内で種々の改良，変形が可能である。例えば，プリンタに限らず，複合機，ＦＡＸ装置等，印刷機能を備えるものであれば適用可能である。
【００８１】
また，実施の形態のプリンタ１００は，両面印刷用の搬送路の備えていないが，両面印刷用の搬送路を備え，自動両面印刷が可能なプリンタであってもよい。例えば，ＰＣから両面印刷を指示する際，自動両面印刷と手動両面印刷とを選択できるプリンタであれば，手動両面印刷が選択された場合に，本発明を適用できる。
【００８２】
また，実施の形態では，偶数ページを先に印刷し，奇数ページを後に印刷しているが，これに限るものではない。どちらを先に印刷するかは，用紙搬送方法によって決定される。そのため，奇数ページを先に印刷してもよい。
【００８３】
また，実施の形態では，後印刷ジョブの印刷の際，Ｓ１０８にて空の給紙トレイが無い場合には，片面印刷済みシートのシート束をセットした後，ユーザからの印刷開始指示の入力を待って印刷を開始し，Ｓ１０８にて空の給紙トレイが有る場合には，片面印刷済みシートのシート束をセットした後，そのセットの検知を条件として自動的に印刷を開始しているが，これに限るものではない。空の給紙トレイが有る場合であっても，片面印刷済みシートのシート束をセットした後，ユーザからの印刷開始指示の入力を待って印刷を開始してもよい。ただし，空の給紙トレイにシートをセットする場合には既存のシートへの印刷は行われず，シートのセットを印刷開始指示と見做すことができる。そのため，実施の形態のようにユーザ指示の入力を省略する方が，ユーザにとって使い勝手がよい。
【００８４】
また，実施の形態では，先印刷ジョブの印刷が完了した後，後印刷ジョブを受信する前に他の印刷ジョブを受信した場合には，Ｓ１２１にて当該他の印刷ジョブを破棄しているが，これに限るものではない。例えば，当該他の印刷ジョブを待機状態とし，後印刷ジョブの印刷が完了した後に当該他の印刷ジョブの印刷を開始してもよい。
【００８５】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００８６】
４０    操作パネル
５０    プロセス部
９１，９２，９３    給紙トレイ
９６    排紙トレイ
１００  プリンタ
【図１】
2013176903.tif 000003
【図２】
2013176903.tif 000004
【図３】
2013176903.tif 000005
【図４】
2013176903.tif 000006
【図５】
2013176903.tif 000007
【図６】
2013176903.tif 000008
【図７】
2013176903.tif 000009
【図８】
2013176903.tif 000010
【図９】
2013176903.tif 000011
【図１０】
2013176903.tif 000012